(57)【要約】【課題】  防滴カバーおよびアンテナを備えていても、機器全体の小型化を図ると共に、機器の防滴性を確保し、アンテナと機器の電子回路とを確実に且つ良好に接続できる携帯情報端末機を提供する。【解決手段】  本体ケース１の開口部８を開閉可能に塞ぐ防滴カバー９にアンテナ１７を設け、このアンテナ１７のアンテナ接点部１８を本体ケース１の第１、第２の各ケース側接点部２０、２１のいずれかに接触させるように構成した。従って、防滴カバー９によって本体ケース１の開口部８を塞ぐことができると共に、防滴カバー９にアンテナ１７をコンパクトに設けることができる。また、防滴カバー９にアンテナ１７を設けても、防滴カバー９が開口部８を塞いだときと、開口部８を開放したときとのいずれにおいても、アンテナ１７と本体ケース１内の電子回路とを確実に且つ良好に接続することができる。【選択図】        図５
2011170748.tif 000002
【特許請求の範囲】
【請求項１】
電子回路を内蔵すると共に、開口部が設けられた本体ケースと、
この本体ケースに設けられて前記開口部を開閉可能に塞ぐ防滴カバーと、
この防滴カバーに設けられたアンテナと、
前記防滴カバーに設けられて前記アンテナが電気的に接続されたアンテナ接点部と、
前記防滴カバーが前記本体ケースの前記開口部を塞いだ状態のときに、前記アンテナ接点部が接触して前記アンテナと前記本体ケース内の前記電子回路とを電気的に接続する第１のケース側接点部と、
前記防滴カバーが前記本体ケースの前記開口部を開放させた状態のときに、前記アンテナ接点部が接触して前記アンテナと前記本体ケース内の前記電子回路とを電気的に接続する第２のケース側接点部と、
を備えていることを特徴とする携帯情報端末機。
【請求項２】
前記本体ケースには、前記防滴カバーが前記開口部を塞ぐ位置と前記開口部を開放する位置とに亘って、前記防滴カバーをスライド移動可能にガイドするスライドガイド部が設けられていることを特徴とする請求項１に記載の携帯情報端末機。
【請求項３】
前記アンテナは、データキャリアに発生した電磁誘導を感知して前記データキャリアとの間で送受信を行うためのループアンテナであることを特徴とする請求項１または請求項２に記載の携帯情報端末機。
【請求項４】
前記本体ケースにおける前記開口部と同じ面には、情報を表示するための表示部が、前記防滴カバーの移動領域外に位置した状態で、設けられていることを特徴とする請求項１〜請求項３のいずれかに記載の携帯情報端末機。
【請求項５】
前記本体ケースには、記録紙に情報を印字するプリンタ部が設けられており、前記開口部は、前記プリンタ部の近傍に位置する箇所における前記本体ケースにスリット形状に形成され、前記プリンタ部で印字された前記記録紙を前記本体ケースの外部に排出することを特徴とする請求項１〜請求項４のいずれかに記載の携帯情報端末機。
【請求項６】
前記本体ケースには、カードに記録されている情報を読み取るカードリーダ部が設けられており、前記開口部は、前記カードリーダ部に対応する箇所における前記本体ケースにスリット形状に形成され、前記カードが挿入してスライドすることを特徴とする請求項１〜請求項４のいずれかに記載の携帯情報端末機。
【発明の詳細な説明】
【技術分野】
【０００１】
この発明は、アンテナを備えた防滴性を有する多機能型の携帯情報端末機に関する。
【背景技術】
【０００２】
従来、携帯情報端末機においては、特許文献１に記載されているように、表示部とキー入力部とを備えた機器本体にプリンタ部を設け、このプリンタ部の近傍に記録紙を収納する用紙ホルダ部を設け、この用紙ホルダ部にホルダカバーを開閉可能に取り付けた構成のもが知られている。
【先行技術文献】
【特許文献】
【０００３】
【特許文献１】特開２００５−２０５７３３号公報
【０００４】
この種の携帯情報端末機では、本体ケースにプリンタ部で印字された記録紙を排出する開口部が設けられているため、この開口部をホルダカバーに設けられた防滴カバーで開閉可能に塞ぐことにより、携帯時に開口部から水滴が不用意に侵入するのを防いでいる。
【発明の概要】
【発明が解決しようとする課題】
【０００５】
ところで、このような携帯情報端末機においては、本体ケースにアンテナを設け、このアンテナで無線式ＩＤ（ＲＦＩＤ）などのデータキャリアとの間でデータの授受を行うことが要望されている。このような要望に応えるために、従来では、本体ケースの表示部の周囲にアンテナをループ状に設け、このアンテナに無線式ＩＤなどのデータキャリアを近づけると、データキャリアに発生した電磁誘導をアンテナが感知し、このアンテナとデータキャリアとの間で送受信してデータの授受を行っている。
【０００６】
この場合、無線式ＩＤ（ＲＦＩＤ）などのデータキャリアとは、非接触型の自動認識機能を搭載したものであり、本体ケースの読取・書込装置に近づけると、電磁誘導が発生することにより、アンテナと本体ケースとの間で送受信を行ってデータの授受を行うように構成されている。このようなデータキャリアとしては、例えば、タグ、無線式ＩＤ（ＲＦＩＤ）、非接触型のＩＣカードなどである。
【０００７】
しかしながら、このようなアンテナを搭載した多機能型の携帯情報端末機では、アンテナを表示部の周囲に設けているため、アンテナとデータキャリアとの間で送受信を行う際に、データキャリアによって表示部に表示された情報が見え難くなるほか、アンテナを表示部の周囲に設けるためには、本体ケースにアンテナスペースが必要になり、本体ケースが大きくなり、機器全体が大型化するという問題がある。
【０００８】
また、このような多機能型の携帯情報端末機では、アンテナを防滴カバーに設けることが検討されているが、単にアンテナを防滴カバーに設けただけでは、防滴カバーがホルダカバーと共に回転するため、防滴カバーが開閉する際のスペースが大きくなるほか、防滴カバーの移動距離が長くなり、アンテナの位置が大きく変位するので、使い勝手が悪いという問題が生じる。
【０００９】
この発明が解決しようとする課題は、防滴カバーおよびアンテナを備えていても、機器全体の小型化を図ることができると共に、機器の防滴性を確保することができ、アンテナと機器の電子回路とを確実に且つ良好に接続することができる携帯情報端末機を提供することである。
【課題を解決するための手段】
【００１０】
この発明は、上記課題を解決するために、次のような構成要素を備えている。
請求項１に記載の発明は、電子回路を内蔵すると共に、開口部が設けられた本体ケースと、この本体ケースに設けられて前記開口部を開閉可能に塞ぐ防滴カバーと、この防滴カバーに設けられたアンテナと、前記防滴カバーに設けられて前記アンテナが電気的に接続されたアンテナ接点部と、前記防滴カバーが前記本体ケースの前記開口部を塞いだ状態のときに、前記アンテナ接点部が接触して前記アンテナと前記本体ケース内の前記電子回路とを電気的に接続する第１のケース側接点部と、前記防滴カバーが前記本体ケースの前記開口部を開放させた状態のときに、前記アンテナ接点部が接触して前記アンテナと前記本体ケース内の前記電子回路とを電気的に接続する第２のケース側接点部と、を備えていることを特徴とする携帯情報端末機である。
【００１１】
請求項２に記載の発明は、前記本体ケースに、前記防滴カバーが前記開口部を塞ぐ位置と前記開口部を開放する位置とに亘って、前記防滴カバーをスライド移動可能にガイドするスライドガイド部が設けられていることを特徴とする請求項１に記載の携帯情報端末機である。
【００１２】
請求項３に記載の発明は、前記アンテナが、データキャリアに発生した電磁誘導を感知して前記データキャリアとの間で送受信を行うためのループアンテナであることを特徴とする請求項１または請求項２に記載の携帯情報端末機である。
【００１３】
請求項４に記載の発明は、前記本体ケースにおける前記開口部と同じ面に、情報を表示するための表示部が、前記防滴カバーの移動領域外に位置した状態で、設けられていることを特徴とする請求項１〜請求項３のいずれかに記載の携帯情報端末機である。
【００１４】
請求項５に記載の発明は、前記本体ケースに、記録紙に情報を印字するプリンタ部が設けられており、前記開口部は、前記プリンタ部の近傍に位置する箇所における前記本体ケースにスリット形状に形成され、前記プリンタ部で印字された前記記録紙を前記本体ケースの外部に排出することを特徴とする請求項１〜請求項４のいずれかに記載の携帯情報端末機である。
【００１５】
請求項６に記載の発明は、前記本体ケースに、カードに記録されている情報を読み取るカードリーダ部が設けられており、前記開口部は、前記カードリーダ部に対応する箇所における前記本体ケースにスリット形状に形成され、前記カードが挿入してスライドすることを特徴とする請求項１〜請求項４のいずれかに記載の携帯情報端末機。
【発明の効果】
【００１６】
この発明によれば、防滴カバーによって本体ケースの開口部を開閉可能に塞ぐことができるので、携帯時に水滴が開口部から本体ケース内に不用意に侵入するのを防ぐことができると共に、この防滴カバーにアンテナをコンパクトに設けることができる。また、防滴カバーにアンテナを設けても、防滴カバーが本体ケースの開口部を塞いだ際に、アンテナと本体ケース内の電子回路とを電気的に接続することができると共に、防滴カバーが本体ケースの開口部を開放した際に、アンテナと本体ケース内の電子回路とを電気的に接続することができる。このため、防滴カバーおよびアンテナを備えていても、機器全体の小型化を図ることができると共に、機器の防滴性を確保することができするほか、アンテナと機器の電子回路とを確実に且つ良好に接続することができする。
【図面の簡単な説明】
【００１７】
【図１】この発明を適用した携帯情報端末機の一実施形態を示した斜視図である。
【図２】図１に示された携帯情報端末機において防滴カバーをスライド移動させて開口部を開放させた状態を示した斜視図である。
【図３】図２に示された携帯情報端末機の要部を破断して示した拡大斜視図である。
【図４】図３に示された携帯情報端末機の要部を左側から見た拡大斜視図である。
【図５】図４に示された携帯情報端末機の要部を分解して示した拡大斜視図である。
【図６】図５に示された携帯情報端末機の要部を右側から見た分解斜視図である。
【図７】図６に示した防滴カバーのＡ−Ａ矢視における拡大断面図である。
【図８】図３に示された携帯情報端末機のＢ−Ｂ矢視における拡大断面図である。
【図９】図８に示されたＡ部を示した拡大断面図である。
【図１０】図９に示されたＡ部のＣ−Ｃ矢視における断面を示し、（ａ）はアンテナ接点部の端子を防水ラバーに差し込んだ状態を示した要部の拡大断面図、（ｂ）はアンテナ接点部の端子を防水ラバーから抜き出した状態を示した要部の拡大断面図である。
【図１１】図１０に示されたアンテナ接点部の端子が防水ラバーに対して挿脱する状態を示し、（ａ）はアンテナ接点部の端子が防水ラバーに差し込まれた状態を示した要部の拡大平面図、（ｂ）はアンテナ接点部の端子が防水ラバーから抜き出された状態を示した要部の拡大平面図である。
【図１２】図５に示されたロック部材を拡大して示した分解斜視図である。
【図１３】図３に示された防滴カバーを上方にスライド移動させた状態を示した要部の拡大斜視図である。
【図１４】図１３に示された携帯情報端末機のＤ−Ｄ矢視における拡大断面図である。
【図１５】図１３に示された防滴カバーを前方（左側）に向けてスライド移動させた状態を示した要部の拡大斜視図である。
【図１６】図１５に示された携帯情報端末機のＥ−Ｅ矢視における拡大断面図である。
【図１７】この実施形態における携帯情報端末機の変形例において一部を破断して示した要部の拡大斜視図である。
【発明を実施するための形態】
【００１８】
以下、図１〜図１６を参照して、この発明を適用した携帯情報端末機の一実施形態について説明する。
この携帯情報端末機は、図１および図２に示すように、本体ケース１を備えている。この本体ケース１は、全体がほぼ長方形の箱状に形成されている。この本体ケース１には、表示部２およびキー入力部３が設けられているほか、本体ケース１の上辺部にはプリンタ部４が設けられており、本体ケース１の下辺部には磁気カードリーダ部５が設けられている。
【００１９】
表示部２は、図１および図２に示すように、本体ケース１の上面におけるほぼ中央部に設けられている。この表示部２は、液晶表示パネル、ＥＬ（エレクトロルミネッセンス）表示パネルなどの平面型の表示パネルであり、キー入力部３で入力された情報、およびその演算結果などの各種の情報を電気光学的に表示するように構成されている。
【００２０】
キー入力部３は、図１および図２に示すように、本体ケース１における表示部２の手前側（図１では下辺部側）に位置する箇所に設けられている。このキー入力部３は、文字キー、テンキー、カーソルキー、ファンクションキーなどの各種のキーを備え、これらのキーを押圧してキー操作することにより、そのキー操作に応じて情報を入力するように構成されている。
【００２１】
プリンタ部４は、図１および図２に示すように、本体ケース１における表示部２の後部（図１では上辺部）に設けられている。このプリンタ部４は、本体ケース１の上辺部内に設けられた印字ヘッド部（図示せず）と、本体ケース１の上辺部から突出して設けられてロール状の記録紙（図示せず）を収納する用紙ホルダ６と、この用紙ホルダ６を開閉可能に覆う半円筒形状のホルダカバー７とを備えている。
【００２２】
このプリンタ部４は、図示しないが、用紙ホルダ６に収納された記録紙を引き出しながら、印字ヘッド部が記録紙に情報を順次印字し、この印字された記録紙を本体ケース１に設けられたスリット状の開口部８から本体ケース１の外部に排出するように構成されている。この場合、開口部８は、本体ケース１の上面におけるプリンタ部５と表示部２との間に位置する箇所に、本体ケース１の長手方向と直交する方向に細長く設けられている。また、この本体ケース１には、図１および図２に示すように、記録紙を排出するスリット形状の開口部８を開閉可能に塞ぐ防滴カバー９が設けられている。
【００２３】
磁気カードリーダ部５は、図１および図２に示すように、本体ケース１におけるキー入力部３の手前側の部分（図１では下辺部）に設けられている。この磁気カードリーダ部５は、磁気カード１０を読み取るものであり、読取ケース１１と、この読取ケース１１に本体ケース１の長手方向に対して直交する方向に設けられたカードスライド溝１２と、読取ケース１１内に設けられた読取部（図示せず）とを備えている。これにより、磁気カードリーダ部５は、磁気カード１０をカードスライド溝１２に差し込んでスライドさせることにより、磁気カード１０に書き込まれている情報を読取部で読み取るように構成されている。
【００２４】
ところで、本体ケース１に設けられた防滴カバー９は、図３〜図６に示すように、本体ケース１に設けられたスリット形状の開口部８を覆って塞ぐカバー本体１３と、このカバー本体１３の両側部に設けられて本体ケース１の両側部を挟む一対の保持部１４とを備えている。この防滴カバー９は、本体ケース１の両側部にそれぞれ設けられたスライドガイド溝１５に沿ってガイドされて上下方向および前後方向にスライド移動することにより、カバー本体１３が開口部８を覆って塞ぐ位置と、カバー本体１３が開口部８から離れて開口部８を開放する位置とに移動するように構成されている。
【００２５】
この場合、一対の保持部１４の各内面下部には、図５および図６に示すように、スライドガイド溝１５内を移動する一対のガイド片１４ａ、１４ｂが設けられている。この一対のガイド片１４ａ、１４ｂのうち、一方（図６では左側）のガイド片１４ａは、保持部１４の内面に一体的に設けられている。また、他方（図６では右側）のガイド片１４ｂは、ねじ１６によって保持部１４の内面に取り付けられるように構成されている。
【００２６】
スライドガイド溝１５は、図３〜図６に示すように、防滴カバー９における一対の保持部１４の各内面下部に設けられた一対のガイド片１４ａ、１４ｂを上下方向にガイドする第１の溝部１５ａと、この第１の溝部１５ａの上端部から防滴カバー９の一対のガイド片１４ａ、１４ｂを本体ケース１の前後方向にガイドする第２の溝部１５ｂと、この第２の溝部１５ｂの上端部から下側に延びて防滴カバー９の一対のガイド片１４ａ、１４ｂを上下方向にガイドする第３の溝部１５ｃとで構成されている。
【００２７】
すなわち、第１の溝部１５ａは、本体ケース１の開口部８の両側に対応する箇所におけるケース本体１の両側部に上下方向に沿って設けられている。第２の溝部１５ｂは、防滴カバー９の前後方向の長さ、つまり本体ケース１の長手方向に対して直交する方向における防滴カバー９の長さとほぼ同じ長さで、本体ケース１の両側部に前後方向に沿って設けられている。第３の溝部１５ｃは、防滴カバー９が本体ケース１の開口部８から離れて開口部８を開放した位置の箇所における本体ケース１の両側部に上下方向に沿って設けられている。
【００２８】
これにより、防滴カバー９は、一対の保持部１４の各内面下部に設けられた一対のガイド片１４ａ、１４ｂが第１の溝部１５ａの下端部に移動した際に、図３に示すように、カバー本体１３が開口部８を覆って塞いだ状態で、本体ケース１の上面に密着するように構成されている。また、この防滴カバー９は、その一対のガイド片１４ａ、１４ｂが第１の溝部１５ａに沿って上方に移動すると、図１３に示すように、カバー本体１３が開口部８の上方に移動するように構成されている。
【００２９】
また、この防滴カバー９は、図１５に示すように、一対のガイド片１４ａ、１４ｂが第２の溝部１５ｂから第３の溝部１５ｃに移動し、この第３の溝部１５ｃに沿って下側に移動して、第３の溝部１５ｃの下端部に移動すると、カバー本体１３が開口部８の前側（図１５では左側）に離れた状態で、本体ケース１の上面に密着して開口部８を開放するように構成されている。
【００３０】
一方、この防滴カバー９には、図５〜図７に示すように、無線式ＩＤ（ＲＦＩＤ）などのデータキャリア（図示せず）との間で送受信を行ってデータの授受を行うためのアンテナ１７がループ形状に埋設されている。すなわち、このアンテナ１７は、ループアンテナであり、銅やアルミニウムなどの導電性を有する金属製の１本の細線からなり、防滴カバー９のカバー本体１３の周囲に沿って複数回連続して巻かれた状態で、全体がループ形状をなすように構成されている。
【００３１】
このアンテナ１７は、無線式ＩＤなどのデータキャリア（図示せず）が近づけられると、データキャリアに発生した電磁誘導を感知し、このデータキャリアとの間で送受信を行ってデータの授受を行うためのものである。この場合、無線式ＩＤ（ＲＦＩＤ）などのデータキャリアとは、非接触型の自動認識機能を搭載したものであり、本体ケース１の読取・書込装置に近づけると、電磁誘導が発生することにより、アンテナ１７との間で送受信を行い、本体ケース１内の回路基板２２に搭載された電子回路（図示せず）との間でデータの授受を行うように構成されている。このようなデータキャリアとしては、例えば、タグ、無線式ＩＤ（ＲＦＩＤ）、非接触型のＩＣカードなどである。
【００３２】
この場合、アンテナ１７は、図５、図８および図９に示すように、その両端部が防滴カバー９における一方（図５では左側）の保持部１４に導かれて、この保持部１４に一体的に設けられたガイド片１４ａに設けられたアンテナ接点部１８の一対の端子１８ａにそれぞれ電気的に接続されている。このアンテナ接点部１８は、図８および図９に示すように、一対の端子１８ａが防滴カバー９の左側に位置する保持部１４における内面下部に設けられたガイド片１４ａに、その上側から下側に突出した状態で設けられている。
【００３３】
また、このアンテナ接点部１８は、図９および図１０に示すように、本体ケース１の左側に位置する側部に設けられたスライドガイド溝１５の第１の溝部１５ａの下端部に設けられた第１のケース側接点部２０と、スライドガイド溝１５の第２の溝部１５ｃの下端部に設けられた第２のケース側接点部２１とのいずれかに接触して、本体ケース１内の回路基板２２に搭載された電子回路（図示せず）と電気的に接続されるように構成されている。
【００３４】
この場合、第１のケース側接点部２０は、図９および図１０に示すように、防滴カバー９のガイド片１４ａの下側に突出したアンテナ接点部１８の一対の端子１８ａがそれぞれ接触する一対の接点電極２０ａを備え、この一対の接点電極２０ａが本体ケース１内に配置された回路基板２２に設けられている。これにより、第１のケース側接点部２０は、回路基板２２に搭載された電子回路と電気的に接続されている。
【００３５】
同様に、第２のケース側接点部２１も、防滴カバー９のガイド片１４ａの下側に突出したアンテナ接点部１８の一対の端子１８ａがそれぞれ接触する一対の接点電極２１ａを備え、この一対の接点電極２１ａが本体ケース１内に配置された回路基板２２に設けられている。この回路基板２２には、携帯情報端末機に必要な電子回路（図示せず）が搭載されている。これにより、第２のケース側接点部２１は、回路基板２２に搭載された電子回路と電気的に接続されている。
【００３６】
また、第１のケース側接点部２０と第２のケース側接点部２１との各上方には、図９〜図１１に示すように、防水ラバー２３がそれぞれ設けられている。この防水ラバー２３は、本体ケース１の左側に位置する側部に設けられたスライドガイド溝１５の第１の溝部１５ａの下部と第２の溝部１５ｃの下部とにそれぞれ設けられて、第１のケース側接点部２０と第２のケース側接点部２１とを密封するように構成されている。
【００３７】
この場合、防水ラバー２３は、図１１（ｂ）に示すように、その中央部に切込部２３ａが直線状に設けられ、この切込部２３ａにアンテナ接点部１８の一対の端子１８ａが押し込まれると、図１０（ａ）および図１１（ａ）に示すように、弾力的に押し広げられるように構成されている。また、この防水ラバー２３は、アンテナ接点部１８の一対の端子１８ａが切込部２３ａから抜き出されると、図１０（ｂ）および図１１（ｂ）に示すように、弾力的に閉じることにより、第１のケース側接点部２０と第２のケース側接点部２１とを密封するように構成されている。
【００３８】
ところで、アンテナ接点部１８と反対側に位置する本体ケース１の側部（図５では右側）には、図５、図６および図１２に示すように、防滴カバー９をロックするロック部材２４が設けられている。このロック部材２４は、ロックカバー２５と、ロック板２６と、押え板２７とを備えている。ロックカバー２５は、図３および図６に示すように、本体ケース１の右側部にビス２８によって取り付けられるように構成されている。
【００３９】
この場合、ロックカバー２５には、図５および図６に示すように、本体ケース１に設けられたスライドガイド溝１５に対応するガイド孔２５ａが設けられている。また、このロックカバー２５におけるガイド孔２５ａで囲われた部分の内面には、図１２に示すように、ロック板２６を前後方向（図１２では左右方向）にガイドするロックガイド溝２５ｂが設けられている。このロック板２６は、ロックカバー２５のロックガイド溝２５ｂと同じ長さの細長い板であり、ロックガイド溝２５ｂ内にスライド可能に配置されている。
【００４０】
このロック板２６には、図６および図１２に示すように、操作摘み２６ａが設けられている。この操作摘み２６ａは、ロックカバー２５に設けられた長孔２５ｃを通してロックカバー２５の外部に突出し、この突出した部分を長孔２５ｃに沿って移動させることにより、ロック板２６を前後方向（図１２では左右方向）に移動させるように構成されている。押え板２７は、ロック板２６をスライド可能にロックカバー２５に押え付ける板であり、ロックカバー２５のロックガイド溝２５ｂの上下に位置する内面に両面接着テープ２９によって貼り付けられている。
【００４１】
これにより、ロック板２６は、図１５に示すように、操作摘み２６ａを後方（図１５では右側）に移動させると、これに伴ってガイドカバー２５のロックガイド溝２５ｂ内をスライドして、ロック板２６の一端部（図１５では右端部）がロックカバー２５のガイド孔２５ａ内に突出し、この突出した端部（図１５では右端部）が防滴カバー９のガイド片１４ｂの移動を遮ることにより、防滴カバー９の移動を規制してロックするように構成されている。
【００４２】
すなわち、このロック板２５は、防滴カバー９のガイド片１４ｂが本体ケース１のスライドガイド溝１５における第１、第３の各溝部１５ａ、１５ｃの下端部のいずれかに位置して、アンテナ接点部１８が第１、第２の各ケース側接点部２０、２１のいずれかに接触した状態のときに、操作摘み２６ａを前後方向に移動させてロック板２５の両端部の一方をロックカバー２５のガイド孔２５ａ内に突出させることにより、図８に示すように、アンテナ１７と本体ケース１内の回路基板２２に搭載された電子回路とを電気的に接続した状態で、防滴カバー９をロックするように構成されている。
【００４３】
このようなロック部材２４を本体ケース１に組み付ける場合には、図１２に示すように、ロックカバー２５のロックガイド溝２５ｂ内にロック板２６を配置し、この状態で操作摘み２６ａをロックカバー２５の外側からロックカバー２５の長孔２５ｃに挿入させてロック板２６に取り付ける。この後、押え板２７をロックカバー２５の内面に両面接着テープ２９によって取り付ける。
【００４４】
これにより、ロック板２５は、ロックカバー２５にスライド可能な状態で取り付けられる。そして、このロックカバー２５を本体ケース１の左側面に取り付ける際には、図１２に示すように、予め、防滴カバー９における一対のガイド片１４ａ、１４ｂのうち、ロック部材２４側のガイド片１４ｂを本体ケース１のスライドガイド溝１５内に配置する。この状態で、図３および図６に示すように、ロックカバー２５を本体ケース１の左側面にビス２８によって取り付ける。
【００４５】
この後、防滴カバー９を本体ケース１に取り付ける。このときには、防滴カバー９における一対のガイド片１４ａ、１４ｂのうち、アンテナ接点部１８が設けられるガイド片１４ａを本体ケース１のスライドガイド溝１５内に配置すると共に、ロック部材２４側の保持部１４を、本体ケース１の左側面に取り付けられたロックカバー２５のガイド孔２５ａに対応させる。
【００４６】
これにより、ロック部材２４側の保持部１４は、ロックカバー２５のガイド孔２５ａを通して本体ケース１のスライドガイド溝１５内に配置されたガイド片１４ｂに対応する。この状態で、ロック部材２４側の保持部１４の外側から、この保持部材１４を通して、ねじ１６をガイド片１４ｂにねじ止めする。これにより、防滴カバー９が本体ケース１にスライド移動可能に取り付けられる。
【００４７】
次に、この携帯情報端末機の作用について説明する。
この携帯情報端末機では、本体ケース１のキー入力部３をキー操作すると、そのキー操作に応じて入力された情報が表示部２に表示される。また、磁気カード１０を磁気カードリーダ部５で読み取ると、その内容が表示部２に表示される。さらに、無線式ＩＤや非接触型のＩＣカードなどのデータキャリアを防滴カバー９のアンテナ１７に近づけると、アンテナ１７とデータキャリアとの間で送受信を行って、本体ケース１内の電子回路とデータキャリアとの間でデータの授受が行われる。
【００４８】
すなわち、防滴カバー９のアンテナ１７にデータキャリアが近づけられると、データキャリアに発生した電磁誘導を感知し、アンテナ１７とデータキャリアとの間で送受信してデータの授受が行われ、その内容が表示部２に表示される。このときには、防滴カバー９のアンテナ１７とデータキャリアとの間でデータの授受を行っても、データキャリアによって表示部２が隠れることがないので、表示部２に表示された情報を見ながらデータの授受を行うことができる。
【００４９】
また、表示部２に表示された情報を印刷する場合には、まず、防滴カバー９をスライド移動させてスリット状の開口部８を開放させる。この状態で、プリンタ部４を駆動させると、プリンタ部４の印字ヘッド部がロール状の記録紙（いずれも図示せず）に情報を順次印字する。この印字された記録紙は、本体ケース１に設けられて開放された状態の開口部８から順送り出される。
【００５０】
ところで、防滴カバー９をスライド移動させてスリット状の開口部８を開放させる場合には、まず、ロック部材２４による防滴カバー９のロックを解除する。このときには、ロック板２６の操作摘み２６ａを操作してロックカバー２５の長孔２５ｃの中央に移動させる。すると、ロック板２６がスライドしてロック板２６の端部がロックカバー２５のガイド孔２５ａ内から引き出され、防滴カバー９に対するロック板２６によるロックが解除される。
【００５１】
これにより、防滴カバー９がスライド移動可能な状態になる。この状態で、図３、図１３および図１５に示すように、防滴カバー９を上方に向けて移動させた後、前方（図１３では左側）に向けて移動させ、この後、下方に向けて移動させることにより、開口部８が開放される。すなわち、防滴カバー９を上方に向けて移動させと、図１３および図１４に示すように、防滴カバー９の一対のガイド片１４ａ、１４ｂが本体ケース１のスライドガイド溝１５の第１の溝部１５ａに沿って上方に移動する。
【００５２】
この後、防滴カバー９を前方（図１５では左側）に向けて移動させると、図１５および図１６に示すように、防滴カバー９の一対のガイド片１４ａ、１４ｂが本体ケース１のスライドガイド溝１５の第２の溝部１５ｂに沿って前方に移動し、防滴カバー９のカバー本体１３が開口部８から前側に離れる。この状態で、防滴カバー９を下方に向けて移動させと、防滴カバー９の一対のガイド片１４ａ、１４ｂが本体ケース１のスライドガイド溝１５の第３の溝部１５ｃに沿って下方に移動し、防滴カバー９のカバー本体１３が開口部８を開放した状態で本体ケース１の上面に配置される。
【００５３】
この状態で、ロック部材２４によって防滴カバー９をロックする。このときには、ロック板２６の操作摘み２６ａを操作し、図３においてロックカバー２５の長孔２５ｃの左側に移動させる。すると、ロック板２６がスライドしてロック板２６の左端部がロックカバー２５のガイド孔２５ａ内に突出し、防滴カバー９のガイド片１４ｂの上方への移動を規制し、防滴カバー９をロックする。
【００５４】
このように、防滴カバー９がスライド移動する際には、図５に示すように、アンテナ接点部１８が第１のケース側接点部２０と第２のケース側接点部２１とのいずれかに切り替わる。すなわち、防滴カバー９が本体ケース１の開口部８を塞いだ位置から開口部８を開放する位置にスライド移動する際には、図１３に示すように、まず、防滴カバー９のガイド片１４ａが本体ケース１のスライドガイド溝１５における第１の溝部１５ａの下端部から上方に向けて移動する。
【００５５】
このときには、図１０（ｂ）に示すように、ガイド片１４ａに設けられたアンテナ接点部１８の一対の端子１８ａが第１の溝部１５ａの下端部に設けられた第１のケース側接点部２０から上方に離れる。このため、防滴カバー９のカバー本体１３に設けられたアンテナ１７と本体ケース１内の回路基板２２との電気的な接続が断たれる。また、このときには、図１０（ｂ）および図１１（ｂ）に示すように、アンテナ接点部１８の一対の端子１８ａが防水ラバー２３の切込部２３ａから上方に抜き出されるので、押し広げられた切込部２３ａが弾性復帰して閉じる。これにより、第１のケース側接点部２０が防水ラバー２３によって防水される。
【００５６】
また、防滴カバー９のガイド片１４ａが本体ケース１のスライドガイド溝１５における第３の溝部１５ｃの上部から下方に向けて移動すると、図１０（ａ）に示すように、アンテナ接点部１８の一対の端子１８ａが防水ラバー２３の切込部２３ａに差し込まれて、第３の溝部１５ｃの下端部に設けられた第２のケース側接点部２１に接触する。これにより、防滴カバー９のカバー本体１３に設けられたアンテナ１７と本体ケース１内の回路基板２２とが電気的に接続される。
【００５７】
このように、防滴カバー９が本体ケース１の開口部８を開放させて開いた状態のときには、アンテナ接点部１８が第２のケース側接点部２１に接触して、アンテナ１７が電子回路を搭載した回路基板２２と電気的に接続される。また、防滴カバー９が本体ケース１の開口部８を塞いで閉じた状態のときには、アンテナ接点部１８が第１のケース側接点部２０に接触して、アンテナ１７が電子回路を搭載した回路基板２２と電気的に接続される。
【００５８】
このため、防滴カバー９が本体ケース１の開口部８を開放させて開いた状態でも、また防滴カバー９が本体ケース１の開口部８を塞いで閉じた状態でも、防滴カバー９のアンテナ１７に無線式ＩＤや非接触型のＩＣカードなどのデータキャリアを近づけると、アンテナ１７とデータキャリアとの間で送受信を行って、本体ケース１内の電子回路とデータキャリアとの間でデータの授受を行うことができる。
【００５９】
このように、この携帯情報端末機によれば、電子回路を搭載した回路基板２２を内蔵すると共に、スリット状の開口部８が設けられた本体ケース１に、開口部８を開閉可能に塞ぐ防滴カバー９を設けた構成であるから、防滴カバー９によって本体ケース１の開口部８を開閉可能に塞ぐことができ、これにより携帯時に水滴が開口部８から本体ケース１内に不用意に侵入するのを防ぐことができると共に、この防滴カバー９にアンテナ１７を設けているので、アンテナ１７をコンパクトに設けることができ、これにより防滴カバー９およびアンテナ１７を備えていても、機器全体の小型化を図ることができる。
【００６０】
また、この携帯情報端末機によれば、防滴カバー９に設けられてアンテナ１７に電気的に接続されたアンテナ接点部１８と、防滴カバー９が本体ケース１の開口部８を塞いだ状態のときに、アンテナ接点部１８が接触してアンテナ１７と本体ケース１内の電子回路とを電気的に接続する第１のケース側接点部２０と、防滴カバー９が本体ケース１の開口部８を開放させた状態のときに、アンテナ接点部１８が接触してアンテナ１７と本体ケース１内の前記電子回路とを電気的に接続する第２のケース側接点部２１と、を備えているので、防滴カバー９が本体ケース１の開口部８を塞いだときにも、また開口部８を開放したときにも、アンテナ１７と本体ケース１内の電子回路とを確実に且つ良好に接続することができる。
【００６１】
この場合、本体ケース１には、防滴カバー９が本体ケース１の開口部８を塞ぐ位置と開口部８を開放する位置とに亘って、防滴カバー９をスライド移動可能にガイドするスライドガイド溝１５が設けられているので、防滴カバー９が開口部８の塞ぐ位置と開口部８を開放する位置とに、防滴カバー９をスライドガイド溝１５によって円滑に且つ良好にスライド移動させることができると共に、防滴カバー９がスライドガイド溝１５に沿ってスライド移動する構成であるから、防滴カバー９の移動距離が短く、アンテナ１７の位置変位を小さくすることができ、これにより使い勝手の良いものを提供することができる。
【００６２】
すなわち、スライドガイド溝１５は、防滴カバー９に設けられたガイド片１４ａ、１４ｂを上下方向にガイドする第１の溝部１５ａと、この第１の溝部１５ａの上端部から防滴カバー９のガイド片１４ａ、１４ｂを本体ケース１の前後方向にガイドする第２の溝部１５ｂと、この第２の溝部１５ｂの上端部から下側に延びて防滴カバー９のガイド片１４ａ、１４ｂを上下方向にガイドする第３の溝部１５ｃとを備えているので、防滴カバー９をスライドガイド溝１５に沿ってスライド移動させて、防滴カバー９で開口部８を確実に塞ぐことができると共に、開口部８を確実に開放させることができる。
【００６３】
この場合、アンテナ接点部１８が防滴カバー９のガイド片１４ａに設けられ、第１のケース側接点部２０がスライドガイド溝１５における第１の溝部１５ａの下端部に設けられ、第２のケース側接点部２１がスライドガイド溝１５における第３の溝部１５ｃの下端部に設けられているので、防滴カバー９をスライドガイド溝１５に沿ってスライドさせることにより、アンテナ接点部１８を第１のケース側接点部２０と第２のケース側接点部２１とのいずれかに確実に且つ良好に接続させて切り替えることができる。
【００６４】
また、第１のケース側接点部２０と第２のケース側接点部２１とは、直線状の切込部２３ａを有する防水ラバー２３によって覆われているので、第１のケース側接点部２０と第２のケース側接点部２１との防水性を確保することができると共に、アンテナ接点部１８が第１のケース側接点部２０と第２のケース側接点部２１とのいずれかに接触する際に、アンテナ接点部１８の各端子１８ａが防水ラバー２３の切込部２３ａに差し込まれることにより、アンテナ接点部１８の各端子１８ａを第１のケース側接点部２０と第２のケース側接点部２１とのいずれかに確実に接触させることができる。
【００６５】
また、アンテナ接点部１８が第１のケース側接点部２０と第２のケース側接点部２１とのいずれかから離れる際には、アンテナ接点部１８の各端子１８ａが防水ラバー２３の切込部２３ａから抜け出すことにより、防水ラバー２３が弾性復帰して切込部２３ａを閉じるので、第１のケース側接点部２０と第２のケース側接点部２１とを防水ラバー２３によって密封することができ、これにより第１のケース側接点部２０と第２のケース側接点部２１との防水性を確保することができる。
【００６６】
さらに、アンテナ１７は、無線式ＩＤなどのデータキャリア（図示せず）に発生した電磁誘導を感知してデータキャリアとの間で送受信を行うためのループアンテナであることにより、防滴カバー９にコンパクトに設けることができる。すなわち、このアンテナ１７は、防滴カバー９のカバー本体１３内にその周囲に沿って１本の線材を複数回連続させて巻き付けることにより、防滴カバー９にコンパクトに設けることができるほか、送受信の感度を上げることができるので、無線式ＩＤなどのデータキャリアが近づけられると、データキャリアとの間で確実に且つ良好に送受信を行ってデータの授受を行うことができる。
【００６７】
この場合、本体ケース１における開口部８と同じ面には、情報を表示するための表示部２が、防滴カバー９の移動領域外に位置した状態で、設けられていることにより、防滴カバー９のアンテナ１７と無線式ＩＤなどのデータキャリアとの間で送受信を行ってデータの授受を行っても、データキャリアによって表示部２が隠れることがないので、表示部２に表示された情報を見ながらデータの授受を行うことができる。
【００６８】
また、本体ケース１には、記録紙に情報を印字するプリンタ部４が設けられており、開口部８は、プリンタ部４の近傍に位置する箇所における本体ケース１にスリット形状に形成され、プリンタ部４で印字された記録紙を本体ケース１の外部に排出するので、プリンタ部４を使用しないときに、開口部８を防滴カバー９で覆って塞ぐことにより、開口部８から水滴が本体ケース１内に不用意に侵入するのを防ぐことができ、またプリンタ部４を使用するときに、防滴カバー９をスライド移動させて開口部８を開放することにより、プリンタ部４で印字された記録紙を開口部８から本体ケース１の外部に良好に排出することができる。
【００６９】
なお、上述した実施形態では、本体ケース１にプリンタ部４を設け、このプリンタ部４で印字された記録紙を本体ケース１の開口部８から排出する構成の携帯情報端末機について述べたが、これに限らず、例えば図１７に示す変形例のように、本体ケース１に磁気カード３２の磁気データを読み取る磁気カードリーダ部３３を設けると共に、この本体ケース１に、磁気カード３２を磁気カードリーダ部３３に挿入するための開口部３４を本体ケース１に設けた構成の携帯情報端末機にも適用することができる。
【００７０】
この場合、開口部３４は、磁気カードリーダ部３３に対応する箇所における本体ケース１の上面から、本体ケース１の長手方向と直交する方向に位置する両側面に亘って連続して形成されている。これに伴って、スライドガイド溝１５は、開口部３４よりも本体ケース１の前側（図１７では左側）に位置をずらして設けられている。また、防滴カバー３５は、本体ケース１の前後方向の長さが前述した実施形態の防滴カバー９よりも長く形成され、この防滴カバー３５における一対の保持部１４の下部前側に位置する箇所にそれぞれガイド片１４ａ、１４ｂを設ければ良い。
【００７１】
このような磁気カードリーダ部３３を備えた携帯情報端末機においても、防滴カバー３５によって本体ケース１の開口部３４を開閉可能に塞ぐことができるので、携帯時に水滴が開口部３４から本体ケース１内に不用意に侵入するのを防ぐことができると共に、この防滴カバー３５にアンテナ１７をコンパクトに設けることができ、これにより防滴カバー３５およびアンテナ１７を備えていても、機器全体の小型化を図ることができる。
【００７２】
この場合にも、この携帯情報端末機では、防滴カバー３５に設けられてアンテナ１７に電気的に接続されたアンテナ接点部１８と、防滴カバー３５が本体ケース１の開口部３４を塞いだ状態のときに、アンテナ接点部１８が接触してアンテナ１７と本体ケース１内の電子回路とを電気的に接続する第１のケース側接点部２０と、防滴カバー３５が本体ケース１の開口部３４を開放させた状態のときに、アンテナ接点部１８が接触してアンテナ１７と本体ケース１内の前記電子回路とを電気的に接続する第２のケース側接点部２１と、を備えているので、防滴カバー３５が本体ケース１の開口部３４を塞いだときにも、また本体ケース１の開口部３４を開放したときにも、アンテナ１７と本体ケース１内の電子回路とを確実に且つ良好に接続することができる。
【符号の説明】
【００７３】
１  本体ケース
２  表示部
３  キー入力部
４  プリンタ部
８、３４  開口部
９、３５  防滴カバー
１５  スライドガイド溝
１５ａ〜１５ｃ  第１〜第３の各溝部
１７  アンテナ
１８  アンテナ接点部
２０  第１のケース側接点部
２１  第２のケース側接点部
２３  防水ラバー
２４  ロック部材
３２  磁気カード
３３  磁気カードリーダ部
【図１】
2011170748.tif 000003
【図２】
2011170748.tif 000004
【図３】
2011170748.tif 000005
【図４】
2011170748.tif 000006
【図５】
2011170748.tif 000007
【図６】
2011170748.tif 000008
【図７】
2011170748.tif 000009
【図８】
2011170748.tif 000010
【図９】
2011170748.tif 000011
【図１０】
2011170748.tif 000012
【図１１】
2011170748.tif 000013
【図１２】
2011170748.tif 000014
【図１３】
2011170748.tif 000015
【図１４】
2011170748.tif 000016
【図１５】
2011170748.tif 000017
【図１６】
2011170748.tif 000018
【図１７】
2011170748.tif 000019